(57)【要約】【課題】複数の供給部が並列に接続された電力供給システムにおいて、好適な制御を実行することが可能な電力供給システムを提供する。【解決手段】発電された電力を負荷Ｈへと供給可能な太陽光発電部１１・２１・３１と、前記太陽光発電部１１・２１・３１で発電された電力を充電可能であると共に、センサ１４・２４・３４の検出値に基づいて前記負荷Ｈへと電力を供給可能な蓄電池１２・２２・３２と、を具備する第一蓄電システム１０、第二蓄電システム２０及び第三蓄電システム３０が並列に接続されており、前記系統電源Ｋと負荷Ｈとの電力の流通を可能又は不能に切り替える負荷側スイッチ５１・５２・５３と、前記蓄電池１２・２２・３２の蓄電池残量に応じて、前記負荷側スイッチ５１・５２・５３の切り替えを制御可能な制御部６０と、を具備する。【選択図】図１
2019106774.tif 000002
【特許請求の範囲】
【請求項１】
電力を負荷へと供給可能な複数の供給部が、系統電源と前記負荷とを接続する電路に接続された電力供給システムであって、
前記複数の供給部は、
前記電路において並列に分岐し、前記系統電源からの電力を前記負荷へと流通させる複数の並列電路にそれぞれ接続されており、
前記並列電路において、前記系統電源と前記負荷との間を流通する電力を検出可能な検出部と、
自然エネルギーを利用して発電可能であると共に当該発電された電力を前記負荷へと供給可能な発電部と、
前記発電部で発電された電力を充電可能であると共に、前記検出部の検出値に基づいて当該充電された電力を放電する負荷追従運転を行うことで前記負荷へと電力を供給可能な蓄電池と、
を具備し、
前記電力供給システムは、
前記並列電路のそれぞれに、当該並列電路と前記供給部との接続点よりも上流側に設けられ、前記系統電源と前記負荷との電力の流通を可能又は不能に切り替える第一のスイッチと、
前記蓄電池の蓄電池残量に応じて、前記第一のスイッチの切り替えを制御可能な制御部と、
を具備する、
電力供給システム。
【請求項２】
前記制御部は、
前記複数の供給部の前記蓄電池のうち蓄電池残量が設定値以下となった蓄電池があれば、当該蓄電池を有する前記供給部が接続された並列電路において、前記系統電源と前記負荷との電力の流通が不能となるように、前記第一のスイッチを切り替える、
請求項１に記載の電力供給システム。
【請求項３】
前記制御部は、
全ての前記蓄電池の蓄電池残量が前記設定値以下となれば、全ての並列電路において、前記系統電源と前記負荷との電力の流通が可能となるように、前記第一のスイッチを制御する、
請求項２に記載の電力供給システム。
【請求項４】
前記供給部は、
前記発電部によって発電された電力のうち、当該供給部が前記負荷へ供給する電力を除いた電力が、前記蓄電池に充電され、
前記電力供給システムは、
前記並列電路のそれぞれに、当該並列電路と前記供給部との接続点よりも下流側に設けられ、前記供給部と前記負荷との電力の流通を可能又は不能に切り替える第二のスイッチを更に具備し、
前記制御部は、
前記発電部が発電する電力量に応じて、前記第二のスイッチの切り替えを制御可能とされている、
請求項１から請求項３までのいずれか一項に記載の電力供給システム。
【請求項５】
前記制御部は、
前記検出部が、前記系統電源へと逆潮流される電力を検出した場合に、前記複数の供給部のうち、前記発電部で発電された電力を前記蓄電池の最大充電量で当該蓄電池に充電させる優先充電動作を実行する供給部を決定し、
前記優先充電動作が実行される前記供給部と前記負荷との電力の流通が不能となるように、前記第二のスイッチを切り替える、
請求項４に記載の電力供給システム。
【請求項６】
前記制御部は、
前記複数の供給部のうち、前記優先充電動作が実行可能な供給部の台数を決定し、
前記優先充電動作が実行可能な供給部の台数の範囲内で、前記複数の供給部のうち前記蓄電池の蓄電池残量が少ないものから順番に、前記優先充電動作を実行する供給部を決定する、
請求項５に記載の電力供給システム。
【請求項７】
前記制御部は、
前記発電部が発電した電力量の総和から前記負荷の消費電力量を減算した電力量を、前記蓄電池の前記最大充電量で除算した結果に基づいて、前記優先充電動作が実行可能な供給部の台数を決定する、
請求項６に記載の電力供給システム。
【請求項８】
前記制御部は、
前記検出部が、前記系統電源から流通する電力を検出した場合に、
前記第二のスイッチが、前記供給部と前記負荷との電力の流通が不能となるように切り替えられていれば、当該第二のスイッチを前記供給部と前記負荷との電力の流通が可能となるように切り替える、
請求項７に記載の電力供給システム。
【発明の詳細な説明】
【技術分野】
【０００１】
本発明は、自然エネルギーを利用して発電可能な発電部と、電力を充放電可能な蓄電池と、を有する電力供給システムの技術に関する。
【背景技術】
【０００２】
従来、発電可能な発電部と電力の充放電が可能な蓄電池とが、系統電源と負荷との間に設けられた電力供給システムの技術は公知となっている。例えば、特許文献１に記載の如くである。
【０００３】
特許文献１には、系統電源と負荷とを接続する配電線に、複数のユニットが直列に接続された電力供給システムが記載されている。前記複数のユニットは、太陽光発電装置と、当該太陽光発電装置及び商用電源からの電力を充電可能な蓄電装置と、を備えている。
【０００４】
上述した特許文献１に記載されているような電力供給システムは、配電線を流通する電力に基づいて各ユニットから電力を出力させる負荷追従運転が行なわれる。また、このような電力供給システムでは、まず、最も下流側に配置されたユニットから電力を出力させ、当該ユニットからの電力だけでは消費電力を賄えない場合、前記ユニットよりも上流側に配置されたユニットから電力を出力させる運転が行なわれる。これにより、下流側に配置されたユニットの蓄電装置の充放電量が他の蓄電装置よりも大きくなり、下流側に配置されたユニットの劣化が進むという問題が考えられる。
【０００５】
上述した問題を解決すべく、電力供給システムにおいて、複数のユニットを並列に接続するようなことが考えられる。この場合、各ユニットが接続される配電線には均等な電力が流通することから、当該均等な電力に基づく負荷追従運転が各ユニットによって行なわれることとなる。これにより、複数のユニットが直列に接続された電力供給システムと比べて、各ユニットの蓄電装置の充放電量のばらつきを抑制することができる。
【０００６】
しかしながら、複数のユニットが並列に接続された電力供給システムにおいても、各太陽光発電装置の設置場所の違いや個体の性能の違い等により、蓄電装置の充放電量のばらつきが生じることが考えられる。このため、各蓄電装置の充放電量の差に起因する問題を抑制し得る制御が実行されることが望ましい。
【先行技術文献】
【特許文献】
【０００７】
【特許文献１】特開２０１７−１６３７４６号公報
【発明の概要】
【発明が解決しようとする課題】
【０００８】
本発明は以上の如き状況に鑑みてなされたものであり、その解決しようとする課題は、複数の供給部が並列に接続された電力供給システムにおいて、好適な制御を実行することが可能な電力供給システムを提供するものである。
【課題を解決するための手段】
【０００９】
本発明の解決しようとする課題は以上の如くであり、次にこの課題を解決するための手段を説明する。
【００１０】
即ち、請求項１においては、電力を負荷へと供給可能な複数の供給部が、系統電源と前記負荷とを接続する電路に接続された電力供給システムであって、前記複数の供給部は、前記電路において並列に分岐し、前記系統電源からの電力を前記負荷へと流通させる複数の並列電路にそれぞれ接続されており、前記並列電路において、前記系統電源と前記負荷との間を流通する電力を検出可能な検出部と、自然エネルギーを利用して発電可能であると共に当該発電された電力を前記負荷へと供給可能な発電部と、前記発電部で発電された電力を充電可能であると共に、前記検出部の検出値に基づいて当該充電された電力を放電する負荷追従運転を行うことで前記負荷へと電力を供給可能な蓄電池と、を具備し、前記電力供給システムは、前記並列電路のそれぞれに、当該並列電路と前記供給部との接続点よりも上流側に設けられ、前記系統電源と前記負荷との電力の流通を可能又は不能に切り替える第一のスイッチと、前記蓄電池の蓄電池残量に応じて、前記第一のスイッチの切り替えを制御可能な制御部と、を具備するものである。
【００１１】
請求項２においては、前記制御部は、前記複数の供給部の前記蓄電池のうち蓄電池残量が設定値以下となった蓄電池があれば、当該蓄電池を有する前記供給部が接続された並列電路において、前記系統電源と前記負荷との電力の流通が不能となるように、前記第一のスイッチを切り替えるものである。
【００１２】
請求項３においては、前記制御部は、全ての前記蓄電池の蓄電池残量が前記設定値以下となれば、全ての並列電路において、前記系統電源と前記負荷との電力の流通が可能となるように、前記第一のスイッチを制御するものである。
【００１３】
請求項４においては、前記供給部は、前記発電部によって発電された電力のうち、当該供給部が前記負荷へ供給する電力を除いた電力が、前記蓄電池に充電され、前記電力供給システムは、前記並列電路のそれぞれに、当該並列電路と前記供給部との接続点よりも下流側に設けられ、前記供給部と前記負荷との電力の流通を可能又は不能に切り替える第二のスイッチを更に具備し、前記制御部は、前記発電部が発電する電力量に応じて、前記第二のスイッチの切り替えを制御可能とされているものである。
【００１４】
請求項５においては、前記制御部は、前記検出部が、前記系統電源へと逆潮流される電力を検出した場合に、前記複数の供給部のうち、前記発電部で発電された電力を前記蓄電池の最大充電量で当該蓄電池に充電させる優先充電動作を実行する供給部を決定し、前記優先充電動作が実行される前記供給部と前記負荷との電力の流通が不能となるように、前記第二のスイッチを切り替えるものである。
【００１５】
請求項６においては、前記制御部は、前記複数の供給部のうち、前記優先充電動作が実行可能な供給部の台数を決定し、前記優先充電動作が実行可能な供給部の台数の範囲内で、前記複数の供給部のうち前記蓄電池の蓄電池残量が少ないものから順番に、前記優先充電動作を実行する供給部を決定するものである。
【００１６】
請求項７においては、前記制御部は、前記発電部が発電した電力量の総和から前記負荷の消費電力量を減算した電力量を、前記蓄電池の前記最大充電量で除算した結果に基づいて、前記優先充電動作が実行可能な供給部の台数を決定するものである。
【００１７】
請求項８においては、前記制御部は、前記検出部が、前記系統電源から流通する電力を検出した場合に、前記第二のスイッチが、前記供給部と前記負荷との電力の流通が不能となるように切り替えられていれば、当該第二のスイッチを前記供給部と前記負荷との電力の流通が可能となるように切り替えるものである。
【発明の効果】
【００１８】
本発明の効果として、以下に示すような効果を奏する。
【００１９】
本発明においては、複数の供給部が並列に接続された電力供給システムにおいて、好適な制御を実行することができる。
【図面の簡単な説明】
【００２０】
【図１】本発明の一実施形態に係る電力供給システムを示したブロック図。
【図２】制御部の動作を示したフローチャート。
【図３】全ての系統電源側スイッチがオン状態である状態を示したブロック図。
【図４】第三系統電源側スイッチをオフ状態に切り替えた状態を示したブロック図。
【図５】第二系統電源側スイッチ及び第三系統電源側スイッチをオフ状態に切り替えた状態を示したブロック図。
【図６】全ての系統電源側スイッチをオン状態に切り替えた状態を示したブロック図。
【図７】想定される電力供給システムを示したブロック図であって、全ての蓄電池の蓄電池残量が停電用蓄電池残量以上である状態を示したブロック図。
【図８】想定される電力供給システムを示したブロック図であって、第三蓄電システムの蓄電池の蓄電池残量が停電用蓄電池残量以下となった状態を示したブロック図。
【図９】想定される電力供給システムを示したブロック図であって、第二蓄電システムび第三蓄電システムの蓄電池の蓄電池残量が停電用蓄電池残量以下となった状態を示したブロック図。
【図１０】制御部の動作を示したフローチャート。
【図１１】全ての負荷側スイッチがオン状態である状態を示したブロック図。
【図１２】第三負荷側スイッチをオフ状態に切り替えた状態を示したブロック図。
【図１３】買電状態を示したブロック図。
【図１４】全ての負荷側スイッチをオン状態に切り替えた状態を示したブロック図。
【発明を実施するための形態】
【００２１】
以下では、本発明の一実施形態に係る電力供給システム１について説明する。
【００２２】
図１に示す電力供給システム１は、系統電源Ｋからの電力や、太陽光を利用して発電された電力を負荷Ｈへと供給するものである。本実施形態に係る電力供給システム１は、集合住宅に設けられ、当該集合住宅の負荷Ｈ（例えば、複数の住宅の機器等）へと電力を供給する。
【００２３】
電力供給システム１は、系統電源Ｋから負荷Ｈへと電力を供給する電力経路Ｌに接続される。電力経路Ｌは、途中部において並列に分岐する第一並列電路Ｌ１、第二並列電路Ｌ２及び第三並列電路Ｌ３を有している。また、電力経路Ｌは、第一並列電路Ｌ１、第二並列電路Ｌ２及び第三並列電路Ｌ３の系統電源Ｋ側の端部をそれぞれ接続する系統電源側電路Ｌ４と、第一並列電路Ｌ１、第二並列電路Ｌ２及び第三並列電路Ｌ３の負荷Ｈ側の端部をそれぞれ接続する負荷側電路Ｌ５を有している。
【００２４】
また、電力供給システム１は、第一並列電路Ｌ１、第二並列電路Ｌ２及び第三並列電路Ｌ３のそれぞれに、負荷Ｈへ電力を供給可能な第一蓄電システム１０、第二蓄電システム２０及び第三蓄電システム３０が接続されている。第一蓄電システム１０、第二蓄電システム２０及び第三蓄電システム３０は、集合住宅を構成する複数（図例では３つ）の住宅にそれぞれ所有される。電力供給システム１は、蓄電システム（第一蓄電システム１０、第二蓄電システム２０及び第三蓄電システム３０）を所有する住宅間において、電力が余った住宅の電力を、電力が不足する住宅に融通可能とされている。なお、第一蓄電システム１０、第二蓄電システム２０及び第三蓄電システム３０の詳細な説明は後述する。
【００２５】
電力供給システム１は、主として第一蓄電システム１０、第二蓄電システム２０、第三蓄電システム３０、第一系統電源側スイッチ４１、第二系統電源側スイッチ４２、第三系統電源側スイッチ４３、第一負荷側スイッチ５１、第二負荷側スイッチ５２、第三負荷側スイッチ５３及び制御部６０を具備する。
【００２６】
第一蓄電システム１０は、太陽光を利用して発電された電力を蓄電したり、第一並列電路Ｌ１を介して電力を供給または蓄電するものである。第一蓄電システム１０は、太陽光発電部１１、蓄電池１２、ハイブリッドパワコン１３及びセンサ１４を具備する。
【００２７】
太陽光発電部１１は、太陽光を利用して発電する装置である。太陽光発電部１１は、太陽電池パネル等により構成される。太陽光発電部１１は、例えば、住宅の屋根の上等の日当たりの良い場所に設置される。
【００２８】
蓄電池１２は、電力を充電可能に構成されるものである。蓄電池１２は、例えば、リチウムイオン電池により構成される。蓄電池１２は、太陽光発電部１１と接続される。なお、蓄電池１２は、本実施形態において、その最大充電量が２０００（Ｗ）であるものとする。なお、最大充電量とは、蓄電池１２が単位時間当たりに充電可能な最大の電力量を指す。また、蓄電池１２は、最大放電量（蓄電池１２が単位時間当たりに放電可能な最大の電力量）についても２０００（Ｗ）とされている。蓄電池１２は、後述するセンサ１４の検出結果等に基づいて、充放電を切り替えることができる。
【００２９】
ハイブリッドパワコン１３は、電力を適宜変換するもの（ハイブリッドパワーコンディショナ）である。ハイブリッドパワコン１３は、太陽光発電部１１で発電された電力を、蓄電池１２に出力（供給）可能に構成される。また、ハイブリッドパワコン１３は、第一並列電路Ｌ１を介して、蓄電池１２から放電された電力を出力（供給）可能であると共に、系統電源Ｋからの電力を蓄電池１２に出力（蓄電）可能に構成される。ハイブリッドパワコン１３は、第一並列電路Ｌ１の第一接続点Ｐ１と接続される。
【００３０】
センサ１４は、第一並列電路Ｌ１において、当該第一並列電路Ｌ１と系統電源側電路Ｌ４との接続点と、第一接続点Ｐ１と、の間に設けられる。また、センサ１４は、第一接続点Ｐ１の上流側（系統電源Ｋ側）に隣接するように（他の接続点等が介在しないように）設けられる。センサ１４は、設けられた箇所を流通する電力（例えば、系統電源Ｋから負荷Ｈ及び蓄電池１２へと供給される電力や、系統電源Ｋへ逆潮流される電力）の電圧（供給電圧）及び電流（供給電流）を検出する。センサ１４は、ハイブリッドパワコン１３と接続され、検出結果に関する信号をハイブリッドパワコン１３へ出力可能に構成される。
【００３１】
第二蓄電システム２０は、第一蓄電システム１０と略同様に構成される。具体的には、第二蓄電システム２０の太陽光発電部２１、蓄電池２２、ハイブリッドパワコン２３及びセンサ２４は、それぞれ第一蓄電システム１０の太陽光発電部１１、蓄電池１２、ハイブリッドパワコン１３及びセンサ１４に相当する。第二蓄電システム２０においては、第二並列電路Ｌ２の第二接続点Ｐ２にハイブリッドパワコン２３が接続される。また、第二蓄電システム２０には、センサ２４が、第二並列電路Ｌ２において、当該第二並列電路Ｌ２と系統電源側電路Ｌ４との接続点と、第二接続点Ｐ２と、の間に設けられる。
【００３２】
第三蓄電システム３０は、第一蓄電システム１０と略同様に構成される。具体的には、第三蓄電システム３０の太陽光発電部３１、蓄電池３２、ハイブリッドパワコン３３及びセンサ３４は、それぞれ第一蓄電システム１０の太陽光発電部１１、蓄電池１２、ハイブリッドパワコン１３及びセンサ１４に相当する。第三蓄電システム３０においては、第三並列電路Ｌ３の第三接続点Ｐ３にハイブリッドパワコン３３が接続される。また、第三蓄電システム３０には、センサ３４が、第三並列電路Ｌ３において、当該第三並列電路Ｌ３と系統電源側電路Ｌ４との接続点と、第三接続点Ｐ３と、の間に設けられる。
【００３３】
第一系統電源側スイッチ４１は、第一並列電路Ｌ１において、電力の流通を可能又は不能に切り替えるものである。第一系統電源側スイッチ４１は、第一並列電路Ｌ１において、第一接続点Ｐ１よりも上流側に設けられる。また、第一系統電源側スイッチ４１は、第一並列電路Ｌ１において、当該第一並列電路Ｌ１と系統電源側電路Ｌ４との接続点と、センサ１４と、の間に設けられる。第一系統電源側スイッチ４１は、オン状態とオフ状態とに切り替え可能とされている。第一系統電源側スイッチ４１は、オン状態において、当該第一系統電源側スイッチ４１を介した電力の流通を可能とする。また、第一系統電源側スイッチ４１は、オフ状態において、当該第一系統電源側スイッチ４１を介した電力の流通を不能とする。第一系統電源側スイッチ４１は、後述する制御部６０に接続されている。
【００３４】
第二系統電源側スイッチ４２は、第二並列電路Ｌ２において、電力の流通を可能又は不能に切り替えるものである。第二系統電源側スイッチ４２は、第二並列電路Ｌ２において、第二接続点Ｐ２よりも上流側に設けられる点を除いて第一系統電源側スイッチ４１と同様に構成される。また、第二系統電源側スイッチ４２は、第二並列電路Ｌ２において、当該第二並列電路Ｌ２と系統電源側電路Ｌ４との接続点と、センサ２４と、の間に設けられる。
【００３５】
第三系統電源側スイッチ４３は、第三並列電路Ｌ３において、電力の流通を可能又は不能に切り替えるものである。第三系統電源側スイッチ４３は、第三並列電路Ｌ３において、第三接続点Ｐ３よりも上流側に設けられる点を除いて第一系統電源側スイッチ４１と同様に構成される。また、第三系統電源側スイッチ４３は、第三並列電路Ｌ３において、当該第三並列電路Ｌ３と系統電源側電路Ｌ４との接続点と、センサ３４と、の間に設けられる。
【００３６】
第一負荷側スイッチ５１は、第一蓄電システム１０と負荷Ｈとの電力の流通を可能又は不能に切り替えるものである。第一負荷側スイッチ５１は、第一接続点Ｐ１の下流側に設けられる点を除いて第一系統電源側スイッチ４１と同様に構成される。また、第一負荷側スイッチ５１は、第一並列電路Ｌ１において、当該第一並列電路Ｌ１と負荷側電路Ｌ５との接続点と、第一接続点Ｐ１と、の間に設けられる。
【００３７】
第二負荷側スイッチ５２は、第二蓄電システム２０と負荷Ｈとの電力の流通を可能又は不能に切り替えるものである。第二負荷側スイッチ５２は、第二接続点Ｐ２の下流側に設けられる点を除いて第一系統電源側スイッチ４１と同様に構成される。また、第二負荷側スイッチ５２は、第二並列電路Ｌ２において、当該第二並列電路Ｌ２と負荷側電路Ｌ５との接続点と、第二接続点Ｐ２と、の間に設けられる。
【００３８】
第三負荷側スイッチ５３は、第三蓄電システム３０と負荷Ｈとの電力の流通を可能又は不能に切り替えるものである。第三負荷側スイッチ５３は、第三接続点Ｐ３の下流側に設けられる点を除いて第一系統電源側スイッチ４１と同様に構成される。また、第三負荷側スイッチ５３は、第三並列電路Ｌ３において、当該第三並列電路Ｌ３と負荷側電路Ｌ５との接続点と、第三接続点Ｐ３と、の間に設けられる。
【００３９】
制御部６０は、第一蓄電システム１０、第二蓄電システム２０及び第三蓄電システム３０の情報を管理すると共に、第一蓄電システム１０、第二蓄電システム２０、第三蓄電システム３０、第一系統電源側スイッチ４１、第二系統電源側スイッチ４２、第三系統電源側スイッチ４３、第一負荷側スイッチ５１、第二負荷側スイッチ５２及び第三負荷側スイッチ５３の動作を制御するものである。制御部６０は、主としてＣＰＵ等の演算処理装置、ＲＡＭやＲＯＭ等の記憶装置、並びにタッチパネル等の入出力装置等により構成される。制御部６０は、太陽光発電部１１・２１・３１で発電された電力の出力や、蓄電池１２・２２・３２の充放電を制御することができる。また、制御部６０は、プログラムや種々の情報を前記記憶装置に格納しており、当該プログラムや種々の情報を演算処理装置で読み込んで処理することで、電力供給システム１の動作等を実行することができる。このような制御部６０は、例えば、ＥＭＳ（Ｅｎｅｒｇｙ  Ｍａｎａｇｅｍｅｎｔ  Ｓｙｓｔｅｍ）によって構成される。
【００４０】
制御部６０は、ハイブリッドパワコン１３・２３・３３、第一系統電源側スイッチ４１、第二系統電源側スイッチ４２、第三系統電源側スイッチ４３、第一負荷側スイッチ５１、第二負荷側スイッチ５２及び第三負荷側スイッチ５３に電気的に接続されている。制御部６０は、第一蓄電システム１０、第二蓄電システム２０及び第三蓄電システム３０の蓄電池１２・２２・３２の蓄電池残量に応じて、第一系統電源側スイッチ４１、第二系統電源側スイッチ４２及び第三系統電源側スイッチ４３の切り替えを制御可能とされている。また、制御部６０は、太陽光発電部１１・２１・３１が発電する電力量に応じて、第一負荷側スイッチ５１、第二負荷側スイッチ５２及び第三負荷側スイッチ５３の切り替えを制御可能とされている。
【００４１】
また、制御部６０は、並列電路（第一並列電路Ｌ１、第二並列電路Ｌ２及び第三並列電路Ｌ３）よりも上流側に設けられた系統電源側センサ６１の検出値に基づいて、売電状態であるか否かを判断可能とされている。本実施形態に係る売電状態とは、電力経路Ｌにおいて、並列電路（第一並列電路Ｌ１、第二並列電路Ｌ２及び第三並列電路Ｌ３）よりも上流側から系統電源Ｋ側へ向けて電力が流通（逆潮流）している状態を指す。なお、売電状態であるか否かの判断は、系統電源側センサ６１の検出値に基づいてなされるものに限られず、例えば、センサ１４・２４・３４の検出値に基づいてなされるものでもよい。また、制御部６０は、センサ１４・２４・３４の検出値に基づいて、買電状態であるか否かを判断可能とされている。本実施形態に係る買電状態とは、系統電源Ｋ側から第一並列電路Ｌ１、第二並列電路Ｌ２及び第三並列電路Ｌ３の第一接続点Ｐ１、第二接続点Ｐ２及び第三接続点Ｐ３へ向けて電力が流通している状態を指す。
【００４２】
以下では、上述の如く構成された電力供給システム１において、蓄電池１２・２２・３２及び負荷Ｈへ電力を供給する流れについて、簡単に説明する。
【００４３】
系統電源Ｋや太陽光発電部１１・２１・３１からの電力は、電力経路Ｌを介して負荷Ｈへ供給される。こうして、住宅の居住者は、系統電源Ｋや、太陽光発電部１１・２１・３１からの電力を用いて照明を点灯させたり、調理器具やエアコンを使用したりすることができる。
【００４４】
この場合において、負荷Ｈの消費電力量が太陽光発電部１１・２１・３１からの電力で賄える場合には、系統電源Ｋからの電力を用いないことも可能である。このようにして系統電源Ｋからの買電量を減少させ、電力料金を節約することができる。
【００４５】
また、系統電源Ｋや太陽光発電部１１・２１・３１からの電力は、適宜の時間帯に蓄電池１２・２２・３２に供給することができる。蓄電池１２・２２・３２に供給された電力は、当該蓄電池１２・２２・３２に充電することができる。蓄電池１２・２２・３２が充電される時間帯は、居住者の任意に設定することができる。例えば、前記時間帯を深夜に設定すれば、料金の安い深夜電力を蓄電池１２・２２・３２に充電することができる。また、前記時間帯を昼間の時間帯に設定すれば、太陽光発電部１１・２１・３１からの電力を蓄電池１２・２２・３２に充電することができる。
【００４６】
また、蓄電池１２・２２・３２に充電された電力は、電力経路Ｌを介して負荷Ｈへ供給することができる。具体的には、蓄電池１２・２２・３２を放電させると、当該放電された電力が電力経路Ｌを介して負荷Ｈに供給される。蓄電池１２・２２・３２が放電される時間帯は、居住者の任意に設定することができる。例えば、前記時間帯を昼間の時間帯に設定すれば、蓄電池１２・２２・３２に充電した料金の安い深夜電力を当該昼間の時間帯に用いることができる。こうして、昼間の時間帯に系統電源Ｋからの電力量（買電量）を減少させ、電力料金を節約することができる。
【００４７】
次に、電力供給システム１における電力の供給態様（モード）について説明する。
【００４８】
電力供給システム１は、電力の供給態様としてエコモード等を有する。
【００４９】
エコモードは、太陽光発電部１１・２１・３１で発電した電力の負荷Ｈでの消費（負荷Ｈで消費することで省エネ効果を得ること）を目的としたモードである。エコモードが設定された制御部６０は、太陽光発電部１１・２１・３１で発電が行われている場合に、当該太陽光発電部１１・２１・３１からの電力を負荷Ｈに供給する。また、制御部６０は、太陽光発電部１１・２１・３１からの電力が負荷Ｈの消費電力量に対して余剰すると、当該余剰電力を蓄電池１２・２２・３２に充電する。制御部６０は、蓄電池１２・２２・３２を最大充電量で充電しても太陽光発電部１１・２１・３１からの電力が依然として余剰する場合に、当該余剰電力を系統電源Ｋへと逆潮流させる。
【００５０】
上記負荷Ｈへの電力の供給において、制御部６０は、センサ１４・２４・３４の検出値に基づいて蓄電池１２・２２・３２の放電量を決定する負荷追従運転を行う。以下、電力供給システム１において、負荷追従運転が行なわれた場合、負荷Ｈへ電力を供給する流れについて、簡単に説明する。
【００５１】
まず、負荷Ｈで電力の消費が発生すれば、電力経路Ｌを介して系統電源Ｋから負荷Ｈへ電力が供給される。この際、第一並列電路Ｌ１、第二並列電路Ｌ２及び第三並列電路Ｌ３には、系統電源Ｋからの電力がそれぞれ均等に流通する。次いで、第一蓄電システム１０、第二蓄電システム２０及び第三蓄電システム３０は、第一並列電路Ｌ１、第二並列電路Ｌ２及び第三並列電路Ｌ３を流通する電力をセンサ１４・２４・３４によって検出すると共に、当該センサ１４・２４・３４の検出値に応じて蓄電池１２・２２・３２を放電させ、電力を負荷Ｈに供給する。なお、太陽光発電部１１・２１・３１で発電が行われている場合には、太陽光発電部１１・２１・３１で発電された電力が、蓄電池１２・２２・３２の放電に優先して負荷Ｈへ供給される。
【００５２】
なお、エコモードが設定された制御部６０は、蓄電池１２・２２・３２が満充電（蓄電池残量が１００％）となると、蓄電池１２・２２・３２の充電を停止し、負荷Ｈの消費電力量に対して余剰した全ての電力を系統電源Ｋへと逆潮流させる。また、制御部６０は、太陽光発電部１１・２１・３１からの電力が負荷Ｈの消費電力量に対して不足すると、蓄電池１２・２２・３２を放電させて当該蓄電池１２・２２・３２からの電力を負荷Ｈに供給する。
【００５３】
また、蓄電池１２・２２・３２には、停電用蓄電池残量が設定されている。停電用蓄電池残量とは、停電状態（系統電源Ｋからの電力が供給不能となった状態）において負荷Ｈに電力を供給するための予備電源として、非停電状態（系統電源Ｋからの電力が供給可能な状態）において蓄電池１２・２２・３２に確保される電力量である。非停電状態においては、負荷Ｈの消費電力量が太陽光発電部１１・２１・３１からの電力で賄えない場合であっても、制御部６０は、蓄電池１２・２２・３２の蓄電池残量が停電用蓄電池残量以下となれば、蓄電池１２・２２・３２からの放電を停止する。この場合、不足分の電力は、系統電源Ｋから供給される。本実施形態では、蓄電池１２・２２・３２の停電用蓄電池残量をそれぞれ当該蓄電池１２・２２・３２の蓄電池容量の３０％としている。なお、停電用蓄電池残量の値は、これに限定されるものではなく、適宜の値を設定可能である。
【００５４】
ここで、第一蓄電システム１０、第二蓄電システム２０及び第三蓄電システム３０は、その設置場所の違い等により、太陽光発電部１１・２１・３１の発電量及び蓄電池１２・２２・３２の蓄電池残量がばらつく場合がある。このような蓄電池１２・２２・３２の蓄電池残量にばらつきがあった場合、複数の蓄電池１２・２２・３２のうちいずれかの蓄電池１２・２２・３２の蓄電池残量が停電用蓄電池残量以下となる場合がある。
【００５５】
以下では、図７から図９までに示す電力供給システムの一例を参照して、複数の蓄電池１２・２２・３２のうちいずれかの蓄電池１２・２２・３２の蓄電池残量が停電用蓄電池残量以下となった場合に想定される問題について説明する。
【００５６】
図７から図９は、蓄電池１２・２２・３２を並列に接続した場合に想定される電力供給システムの構成を模式的に示した図である。なお、当該電力供給システムは、第一系統電源側スイッチ４１、第二系統電源側スイッチ４２、第三系統電源側スイッチ４３、第一負荷側スイッチ５１、第二負荷側スイッチ５２及び第三負荷側スイッチ５３が設けられていない点で、本実施形態に係る電力供給システム１とは異なる。なお、以下の説明では、当該電力供給システムは、エコモードが設定されているものとする。
【００５７】
図７に示すように、負荷Ｈの消費電力量が３０００（Ｗ）である場合、系統電源Ｋから３０００（Ｗ）の電力が供給されることから、第一並列電路Ｌ１、第二並列電路Ｌ２及び第三並列電路Ｌ３には、それぞれ１０００（Ｗ）の電力が流通する。したがって、第一並列電路Ｌ１、第二並列電路Ｌ２及び第三並列電路Ｌ３を流通する電力に基づいた負荷追従運転が行なわれることにより、第一蓄電システム１０、第二蓄電システム２０及び第三蓄電システム３０の蓄電池１２・２２・３２の放電により負荷Ｈに供給される電力は、それぞれ１０００（Ｗ）となる。
【００５８】
図８は、複数の蓄電池１２・２２・３２のうち、第三蓄電システム３０の蓄電池３２の蓄電池残量が停電用蓄電池残量（３０％）となった場合を例示した図である。また、図８では、第一蓄電システム１０の蓄電池１２及び第二蓄電システム２０の蓄電池２２の蓄電池残量は７０％である。この場合、第三蓄電システム３０の蓄電池３２からの放電が停止され、系統電源Ｋからの電力（１０００（Ｗ））が第三並列電路Ｌ３を介して負荷Ｈに供給される。これにより、第一蓄電システム１０の蓄電池１２及び第二蓄電システム２０の蓄電池２２の蓄電池残量は、停電用蓄電池残量（３０％）以上、かつ、第一蓄電システム１０の蓄電池１２及び第二蓄電システム２０の蓄電池２２の放電量が最大放電量（２０００（ｗ））よりも小さいにも関わらず、系統電源Ｋからの電力の供給（買電）が発生する。
【００５９】
また、図９に示すように、第二蓄電システム２０の蓄電池２２の蓄電池残量についても停電用蓄電池残量（３０％）となった場合、第二蓄電システム２０の蓄電池２２からの放電が停止される。また、図９では、第一蓄電システム１０の蓄電池１２の蓄電池残量は５０％である。この場合、第一蓄電システム１０の蓄電池１２の蓄電池残量は停電用蓄電池残量（３０％）以上かつ、第一蓄電システム１０の蓄電池１２の放電量が最大放電量（２０００（Ｗ））よりも小さいにも関わらず、系統電源Ｋからの電力（２０００（Ｗ））が第二並列電路Ｌ２及び第三並列電路Ｌ３を介して負荷Ｈに供給され、更なる買電が発生する。
【００６０】
上述したように、図７から図９までに示す電力供給システムでは、蓄電池の蓄電池残量が停電用蓄電池残量以下となれば、当該蓄電池を有する蓄電システムが接続された並列電路ごとに系統電源Ｋからの電力が負荷Ｈに供給される。これにより、電力を放電可能な蓄電池を有する蓄電システムがあるにも関わらず、買電が発生するという問題が想定される。
【００６１】
本実施形態に係る電力供給システム１は、図２から図６までに示すように、蓄電池１２・２２・３２の蓄電池残量に応じて、第一系統電源側スイッチ４１、第二系統電源側スイッチ４２及び第三系統電源側スイッチ４３の切り替えを制御可能な系統電源側スイッチ制御処理を実行することで、系統電源Ｋからの買電を低減することができる。
【００６２】
以下では、系統電源側スイッチ制御処理について説明する。なお、以下の説明では、電力供給システム１は、エコモードが設定されているものとする。
【００６３】
図２に示すように、まず、ステップＳ１０において、制御部６０は、蓄電池１２・２２・３２の全てに充電指示を行なうか否かを確認する。本実施形態に係る充電指示とは、系統電源Ｋから所定量の電力を供給し、当該系統電源Ｋからの電力を用いて、蓄電池１２・２２・３２に充電する指示を指す。また、充電指示は、深夜の時間帯に行なわれる。これにより、料金の安い深夜電力を用いて蓄電池１２・２２・３２に充電を行なうことができる。制御部６０は、充電指示を行なうと判断した場合には、ステップＳ２０へ移行する。一方、制御部６０は、充電指示を行なわないと判断した場合には、ステップＳ３０へ移行する。
【００６４】
ステップＳ２０において、制御部６０は、系統電源側スイッチ（第一系統電源側スイッチ４１、第二系統電源側スイッチ４２及び第三系統電源側スイッチ４３）の全てについてオン状態とする。制御部６０は、ステップＳ２０の処理が終了すると、系統電源側スイッチ制御処理を終了する。
【００６５】
ステップＳ３０において、制御部６０は、蓄電池１２・２２・３２の全てについて蓄電池残量が停電用蓄電池残量以下であるか否かを確認する。制御部６０は、全ての蓄電池１２・２２・３２の蓄電池残量が停電用蓄電池残量以下であると判断した場合には、ステップＳ２０へ移行する。一方、制御部６０は、蓄電池残量が停電用蓄電池残量以下でない蓄電池１２・２２・３２がある場合には、ステップＳ４０へ移行する。
【００６６】
ステップＳ４０において、制御部６０は、蓄電池１２・２２・３２のうち、蓄電池残量が停電用蓄電池残量以下のものがあるか否かを確認する。制御部６０は、蓄電池１２・２２・３２のうち、蓄電池残量が停電用蓄電池残量以下のものがあると判断した場合には、ステップＳ５０へ移行する。一方、制御部６０は、蓄電池１２・２２・３２のうち、蓄電池残量が停電用蓄電池残量以下のものがないと判断した場合には、系統電源側スイッチ制御処理を終了する。
【００６７】
ステップＳ５０において、制御部６０は、蓄電池残量が停電用蓄電池残量以下の蓄電池１２・２２・３２を有する蓄電システム（第一蓄電システム１０、第二蓄電システム２０及び第三蓄電システム３０）に並列電路（第一並列電路Ｌ１、第二並列電路Ｌ２及び第三並列電路Ｌ３）を介して接続される系統電源側スイッチ（第一系統電源側スイッチ４１、第二系統電源側スイッチ４２及び第三系統電源側スイッチ４３）をオフ状態とする。制御部６０は、ステップＳ５０の処理が終了すると、系統電源側スイッチ制御処理を終了する。
【００６８】
以下では、図３から図６までを参照して、系統電源側スイッチ制御処理の一例について説明する。
【００６９】
図３は、電力供給システム１において、第一系統電源側スイッチ４１、第二系統電源側スイッチ４２及び第三系統電源側スイッチ４３が、それぞれオン状態である状態を示している。
【００７０】
また、図３は、蓄電池１２・２２・３２に充電指示を行なわない場合において、蓄電池残量が停電用蓄電池残量以下でない蓄電池１２・２２・３２がある場合（ステップＳ１０：ＮＯ、ステップＳ３０：ＮＯ）を示した図である。図３では、全ての蓄電池１２・２２・３２の蓄電池残量（１００％）が停電用蓄電池残量（３０％）以上である例を示している。
【００７１】
図３では、負荷Ｈの消費電力量が３０００（Ｗ）であり、上述した図７に示す電力供給システムと同様、系統電源Ｋからの電力に基づく負荷追従運転が行なわれることにより、第一蓄電システム１０、第二蓄電システム２０及び第三蓄電システム３０の蓄電池１２・２２・３２の放電によりそれぞれ１０００（Ｗ）が負荷Ｈに供給される。
【００７２】
図４は、複数の蓄電池１２・２２・３２のうち、第三蓄電システム３０の蓄電池３２の蓄電池残量が停電用蓄電池残量（３０％）となった場合を示している。また、図４では、第一蓄電システム１０の蓄電池１２及び第二蓄電システム２０の蓄電池２２の蓄電池残量を１００％とした例を示している。この場合、制御部６０は、蓄電池３２からの放電を停止すると共に、第三系統電源側スイッチ４３をオフ状態に切り替え、第三並列電路Ｌ３における系統電源Ｋと負荷Ｈとの電力の流通を不能に切り替える（ステップＳ５０）。
【００７３】
上記制御を実行したことで、負荷Ｈへの電力の供給は、第一並列電路Ｌ１、第二並列電路Ｌ２及び第三並列電路Ｌ３のうち、第一並列電路Ｌ１及び第二並列電路Ｌ２を流通する電力により行われる。ここで、負荷Ｈの消費電力量は３０００（Ｗ）であるので、第一並列電路Ｌ１及び第二並列電路Ｌ２を流通する電力は、それぞれ１０００（Ｗ）から１５００（Ｗ）に増える。前記第一並列電路Ｌ１及び第二並列電路Ｌ２において増えた分の電力（それぞれ５００（Ｗ））は、系統電源Ｋから供給（買電）される。
【００７４】
また、第一並列電路Ｌ１及び第二並列電路Ｌ２において系統電源Ｋから供給（買電）された電力はセンサ１４・２４によって検出される。第一蓄電システム１０及び第二蓄電システム２０は、センサ１４・２４によって検出値に基づいて、蓄電池１２・２２の放電量がそれぞれ１５００（Ｗ）とされる。これにより、第三蓄電システム３０の蓄電池３２の蓄電池残量が停電用蓄電池残量となった場合でも、系統電源Ｋから買電することなく、負荷Ｈに電力を供給することができる。
【００７５】
また、図５に示すように、第二蓄電システム２０の蓄電池２２の蓄電池残量が停電用蓄電池残量（３０％）となった場合、制御部６０は、蓄電池２２からの放電を停止すると共に、第二系統電源側スイッチ４２をオフ状態に切り替え、第二並列電路Ｌ２における第二蓄電システム２０と系統電源Ｋとの電力の流通を不能に切り替える（ステップＳ５０）。
【００７６】
上記制御を実行したことで、負荷Ｈへの電力の供給は、第一並列電路Ｌ１、第二並列電路Ｌ２及び第三並列電路Ｌ３のうち、第一並列電路Ｌ１を流通する電力により行われる。ここで、負荷Ｈの消費電力量は３０００（Ｗ）であるので、第一並列電路Ｌ１を流通する電力は、１５００（Ｗ）から３０００（Ｗ）に増える。前記第一並列電路Ｌ１において増えた分の電力（１５００（Ｗ））は、系統電源Ｋから供給（買電）される。
【００７７】
また、第一並列電路Ｌ１において系統電源Ｋから供給（買電）された電力はセンサ１４によって検出される。第一蓄電システム１０は、センサ１４によって検出値に基づいて、蓄電池１２の放電量を増やす。蓄電池１２は、最大放電量である２０００（Ｗ）を放電し、負荷Ｈの消費電力量（３０００（Ｗ））に対して不足する電力（１０００（Ｗ））は、系統電源Ｋから供給（買電）される。これにより、系統電源Ｋからの買電よりも優先して、蓄電池残量が停電用蓄電池残量（３０％）以上であって、電力を放電していない蓄電池（蓄電池１２）を放電させることができる。
【００７８】
また、図６に示すように、全ての蓄電池１２・２２・３２の蓄電池残量が停電用蓄電池残量（３０％）となった場合（ステップＳ３０：ＹＥＳ）、上述したステップＳ３０の処理により、制御部６０は、全ての系統電源側スイッチ（第一系統電源側スイッチ４１、第二系統電源側スイッチ４２及び第三系統電源側スイッチ４３）がオン状態となるように制御する（ステップＳ２０）。図６に示した例では、制御部６０は、第二系統電源側スイッチ４２及び第三系統電源側スイッチ４３をオフ状態からオン状態に切り替えた状態を示している。これにより、第一並列電路Ｌ１、第二並列電路Ｌ２及び第三並列電路Ｌ３において系統電源Ｋと負荷Ｈとの電力の流通が可能となる。
【００７９】
また、図４及び図５に示すように、オフ状態の系統電源側スイッチ（第一系統電源側スイッチ４１、第二系統電源側スイッチ４２及び第三系統電源側スイッチ４３）がある場合に、充電指示を行なう場合（ステップＳ１０：ＹＥＳ）、制御部６０は、上述した図６に示す制御と同様、全ての系統電源側スイッチ（第一系統電源側スイッチ４１、第二系統電源側スイッチ４２及び第三系統電源側スイッチ４３）をオン状態とする（ステップＳ２０）。これにより、系統電源Ｋからの電力によって、蓄電池１２・２２・３２の充電が可能となる。
【００８０】
また、複数の蓄電池１２・２２・３２が並列接続された電力供給システムにおいては、上述したように負荷追従運転が行なわれることで、負荷Ｈの消費電力量に対して、蓄電池１２・２２・３２から均等に放電されて電力が供給される。一方、上述したエコモードが設定されている場合において、蓄電池１２・２２・３２への充電は、太陽光発電部１１・２１・３１によって行なわれるが、上述したように、太陽光発電部１１・２１・３１の設置場所の違い等により、蓄電池１２・２２・３２の蓄電池残量がばらつく場合がある。
【００８１】
この場合、蓄電池１２・２２・３２のうち、蓄電池残量が少ないものについて、他の蓄電池１２・２２・３２よりも多く充電させるような制御が行なわれることが望ましい。
【００８２】
本実施形態に係る電力供給システム１は、図１０から図１４までに示すように、太陽光発電部１１・２１・３１が発電する電力量に応じて、第一負荷側スイッチ５１、第二負荷側スイッチ５２及び第三負荷側スイッチ５３の切り替えを制御可能な負荷側スイッチ制御処理を実行することで、太陽光発電部１１・２１・３１のうち、所定台数の太陽光発電部１１・２１・３１について、負荷Ｈへの電力の供給を遮断して、発電した電力を当該太陽光発電部１１・２１・３１に接続された蓄電池１２・２２・３２に集中して充電することができる。これにより、太陽光発電部１１・２１・３１のうち、所定台数の蓄電池１２・２２・３２に、他の蓄電池１２・２２・３２よりも優先して充電すること（以下、「優先充電動作」と称する）ができる。
【００８３】
以下では、負荷側スイッチ制御処理について説明する。なお、以下の説明では、電力供給システム１は、エコモードが設定されているものとする。
【００８４】
図１０に示すように、まず、ステップＳ１１０において、制御部６０は、売電状態であるか否かを確認する。制御部６０は、売電状態であると判断した場合に、ステップＳ１２０へ移行する。一方、制御部６０は、売電状態でないと判断した場合に、ステップＳ１６０へ移行する。
【００８５】
ステップＳ１２０において、制御部６０は、蓄電システム（第一蓄電システム１０、第二蓄電システム２０及び第三蓄電システム３０）の優先充電動作可能台数を決定する。本実施形態において、優先充電動作可能台数とは、太陽光発電部１１・２１・３１が発電した電力量の総和（以下、「総太陽光発電量」と称する）のうち、負荷Ｈの消費電力量（以下、「総消費電力量」と称する）に対して余剰する電力量によって、最大充電量で蓄電池１２・２２・３２を充電可能な蓄電システム（第一蓄電システム１０、第二蓄電システム２０及び第三蓄電システム３０）の台数の最大値を指す。
【００８６】
優先充電動作可能台数は、総太陽光発電量から総消費電力量を減算した電力量を、蓄電池１２・２２・３２の最大充電量で除算して求められる。なお、小数点以下は切り捨てとする。
優先充電動作可能台数は、以下の数１を用いて算出することができる。
優先充電動作可能台数＝（総太陽光発電量−総消費電力量）／蓄電池１２・２２・３２の最大充電量    （数１）
【００８７】
制御部６０は、ステップＳ１２０の処理が終了すると、ステップＳ１３０に移行する。ステップＳ１３０において、制御部６０は、蓄電システム（第一蓄電システム１０、第二蓄電システム２０及び第三蓄電システム３０）の全てにおいて、太陽光発電部１１・２１・３１が発電した電力量（以下、「発電電力量」と称する）が、蓄電池１２・２２・３２の最大充電量よりも大きいか否かを判断する。制御部６０は、蓄電システム（第一蓄電システム１０、第二蓄電システム２０及び第三蓄電システム３０）の全てにおいて、発電電力量が、最大充電量よりも大きいと判断した場合に、ステップＳ１４０へ移行する。一方、制御部６０は、発電電力量が、最大充電量以下の蓄電システム（第一蓄電システム１０、第二蓄電システム２０及び第三蓄電システム３０）があると判断した場合に、ステップＳ１５０へ移行する。
【００８８】
ステップＳ１４０において、制御部６０は、全ての蓄電システム（第一蓄電システム１０、第二蓄電システム２０及び第三蓄電システム３０）のうち、優先充電動作可能台数の範囲内で、蓄電池１２・２２・３２の蓄電池残量が少ないものから順番に、優先充電動作を実行する蓄電システム（第一蓄電システム１０、第二蓄電システム２０及び第三蓄電システム３０）を決定する。
【００８９】
また、ステップＳ１４０において、制御部６０は、上記優先充電動作の実行が決定された蓄電システム（第一蓄電システム１０、第二蓄電システム２０及び第三蓄電システム３０）に、並列電路（第一並列電路Ｌ１、第二並列電路Ｌ２及び第三並列電路Ｌ３）を介して接続される負荷側スイッチ（第一負荷側スイッチ５１、第二負荷側スイッチ５２及び第三負荷側スイッチ５３）をオフ状態とする。制御部６０は、ステップＳ１４０の処理が終了すると、負荷側スイッチ制御処理を終了する。
【００９０】
また、ステップＳ１５０において、制御部６０は、発電電力量が、最大充電量よりも大きい蓄電システム（第一蓄電システム１０、第二蓄電システム２０及び第三蓄電システム３０）のうち、優先充電動作可能台数の範囲内で、蓄電池１２・２２・３２の蓄電池残量が少ないものから順番に、優先充電動作を実行する蓄電システム（第一蓄電システム１０、第二蓄電システム２０及び第三蓄電システム３０）を決定する。
【００９１】
また、ステップＳ１５０において、制御部６０は、上記優先充電動作の実行が決定された蓄電システム（第一蓄電システム１０、第二蓄電システム２０及び第三蓄電システム３０）に、並列電路（第一並列電路Ｌ１、第二並列電路Ｌ２及び第三並列電路Ｌ３）を介して接続される負荷側スイッチ（第一負荷側スイッチ５１、第二負荷側スイッチ５２及び第三負荷側スイッチ５３）をオフ状態とする。制御部６０は、ステップＳ１５０の処理が終了すると、負荷側スイッチ制御処理を終了する。
【００９２】
以下、図１１及び図１２を参照して、ステップＳ１１０からステップＳ１５０までの負荷側スイッチ制御処理の一例について説明する。
【００９３】
図１１は、電力供給システム１において、全ての負荷側スイッチ（第一負荷側スイッチ５１、第二負荷側スイッチ５２及び第三負荷側スイッチ５３）がオン状態とされた状態を示した図である。図１１では、太陽光発電部１１・２１・３１の発電電力量は、それぞれ２１００（Ｗ）である。
【００９４】
また、図１１に示す例では、総消費電力量は３０００（Ｗ）であるので、第一並列電路Ｌ１、第二並列電路Ｌ２及び第三並列電路Ｌ３において、負荷Ｈへ供給される電力は、それぞれ１０００（Ｗ）となる。したがって、第一蓄電システム１０、第二蓄電システム２０及び第三蓄電システム３０から負荷Ｈに供給される電力（太陽光発電部１１・２１・３１から出力される電力）は、それぞれ１０００（Ｗ）となる。また、図１１に示す例では、蓄電池１２・２２の蓄電池残量はそれぞれ１００％（満充電）であるので、太陽光発電部１１・２１の発電電力量のうち余剰する電力１１００（Ｗ）は系統電源Ｋ側へ向けて第一並列電路Ｌ１及び第二並列電路Ｌ２において逆潮流する。また、蓄電池３２の蓄電池残量は５０％であり、太陽光発電部３１の発電電力量のうち１１００（Ｗ）が蓄電池３２に充電される。
【００９５】
図１１に示した例では、第一並列電路Ｌ１及び第二並列電路Ｌ２を逆潮流する電力の合計は２２００（Ｗ）であり、蓄電池３２に更に充電可能な電力（９００（Ｗ））を差し引いたとしても電力が余剰する。当該余剰した電力は系統電源Ｋ側へ向けて逆潮流すると共に、系統電源側センサ６１によって検出される。制御部６０は、系統電源側センサ６１の検出によって売電状態であると判断する（ステップＳ１１０：ＹＥＳ）。したがって、制御部６０は、優先充電動作可能台数を決定する（ステップＳ１２０）。図１１に示した例では、（総太陽光発電量（６３００（Ｗ））−総消費電力量（３０００（Ｗ）））／最大充電量（２０００（Ｗ））＝１．６５であるので、優先充電動作可能台数は１台となる。
【００９６】
図１１に示すように、全ての蓄電システム（第一蓄電システム１０、第二蓄電システム２０及び第三蓄電システム３０）において、発電電力量は蓄電池１２・２２・３２の最大充電量よりも大きい（ステップＳ１３０：ＹＥＳ）。したがって、制御部６０は、全ての蓄電システム（第一蓄電システム１０、第二蓄電システム２０及び第三蓄電システム３０）のうちから、優先充電動作を実行するものを決定し、優先充電動作を実行する（ステップＳ１４０）。
【００９７】
図１１に示した例では、第一蓄電システム１０及び第二蓄電システム２０の蓄電池残量は、それぞれ１００％であり、第三蓄電システム３０の蓄電池残量は、５０％である。したがって、制御部６０は、第三蓄電システム３０について優先充電動作を実行する。
【００９８】
この場合、図１２に示すように、制御部６０は、第三負荷側スイッチ５３をオフ状態とし第三蓄電システム３０と負荷Ｈとの電力の流通を不能に切り替える。
【００９９】
上記制御を実行したことで、第三蓄電システム３０と負荷Ｈとの電力の流通が遮断されることで、第三蓄電システム３０は、太陽光発電部３１が発電した電力量（２１００（Ｗ））のうち、最大充電量である２０００（Ｗ）を蓄電池３２に充電することができる。これにより、第三蓄電システム３０の蓄電池３２を、他の蓄電システム（第一蓄電システム１０及び第二蓄電システム２０）の蓄電池１２・２２よりも優先して充電することができる。
【０１００】
また、上記制御を実行したことで、負荷Ｈへの電力の供給は、第一並列電路Ｌ１、第二並列電路Ｌ２及び第三並列電路Ｌ３のうち、第一並列電路Ｌ１及び第二並列電路Ｌ２を流通する電力により行われる。ここで、負荷Ｈの消費電力量は３０００（Ｗ）であるので、第一並列電路Ｌ１及び第二並列電路Ｌ２において、負荷Ｈへ供給される電力は、それぞれ１０００（Ｗ）から１５００（Ｗ）に増える。これにより、太陽光発電部１１・２１から負荷Ｈへ供給される電力は、それぞれ１５００（Ｗ）となる。これにより、第三蓄電システム３０からの電力の供給が遮断された場合でも、系統電源Ｋから買電することなく、負荷Ｈに電力を供給することができる。
【０１０１】
また、ステップＳ１１０において、売電状態でないと判断された場合に移行するステップＳ１６０において、制御部６０は、買電状態であるか否かを確認する。制御部６０は、センサ１４・２４・３４の検出結果に基づいて、買電状態であるか否かを判断する。制御部６０は、買電状態であると判断した場合に、ステップＳ１７０へ移行する。一方、制御部６０は、買電状態でないと判断した場合には、負荷側スイッチ制御処理を終了する。
【０１０２】
ステップＳ１７０において、制御部６０は、全ての負荷側スイッチ（第一負荷側スイッチ５１、第二負荷側スイッチ５２及び第三負荷側スイッチ５３）のうち、オフ状態のものがあるか否かを判断する。制御部６０は、オフ状態の負荷側スイッチ（第一負荷側スイッチ５１、第二負荷側スイッチ５２及び第三負荷側スイッチ５３）があれば、ステップＳ１８０へ移行する。一方、制御部６０は、オフ状態の負荷側スイッチ（第一負荷側スイッチ５１、第二負荷側スイッチ５２及び第三負荷側スイッチ５３）がなければ、負荷側スイッチ制御処理を終了する。
【０１０３】
ステップＳ１８０において、制御部６０は、オフ状態の負荷側スイッチ（第一負荷側スイッチ５１、第二負荷側スイッチ５２及び第三負荷側スイッチ５３）をオン状態とする。制御部６０は、ステップＳ１８０の処理が終了すると、負荷側スイッチ制御処理を終了する。これにより、系統電源Ｋからの買電よりも優先して、蓄電池残量が停電用蓄電池残量（３０％）以上であって、電力を放電していない蓄電池（蓄電池１２）を放電させることができる。
【０１０４】
以下、図１３及び図１４を参照して、ステップＳ１６０からステップＳ１８０までの負荷側スイッチ制御処理の一例について説明する。
【０１０５】
図１３は、図１２に示す電力供給システム１において、太陽光発電部１１・２１・３１の発電電力量が、それぞれ１０００（Ｗ）とされた場合を例示した図である。また、図１３では、蓄電池１２・２２の蓄電池残量が停電用蓄電池残量（３０％）以下となっている。この場合、第一蓄電システム１０及び第二蓄電システム２０により負荷Ｈに供給される電力は、それぞれ１０００（Ｗ）となり、不足分の１０００（Ｗ）が系統電源Ｋ側から供給され、買電状態となる（ステップＳ１６０：ＹＥＳ）。
【０１０６】
この場合、図１４に示すように、制御部６０は、オフ状態とされている第三負荷側スイッチ５３を、オン状態に切り替える（ステップＳ１７０：ＹＥＳ、ステップＳ１８０）。これにより、第三蓄電システム３０の優先充電動作が解除され、第三並列電路Ｌ３において、第三蓄電システム３０と負荷Ｈとの電力の流通が可能となる。したがって、第一蓄電システム１０、第二蓄電システム２０及び第三蓄電システム３０から、それぞれ１０００（Ｗ）の電力を負荷Ｈへ供給することができる。これにより、第一蓄電システム１０、第二蓄電システム２０及び第三蓄電システム３０によって、総消費電力量（３０００（Ｗ））を、系統電源Ｋから買電することなく賄うことができる。
【０１０７】
以上の如く、本実施形態に係る電力供給システム１は、
電力を負荷Ｈへと供給可能な複数の供給部（第一蓄電システム１０、第二蓄電システム２０及び第三蓄電システム３０）が、系統電源Ｋと前記負荷Ｈとを接続する電路（電力経路Ｌ）に接続された電力供給システム１であって、
前記複数の供給部（蓄電システム（第一蓄電システム１０、第二蓄電システム２０及び第三蓄電システム３０））は、
前記電力経路Ｌにおいて並列に分岐し、前記系統電源Ｋからの電力を前記負荷Ｈへと流通させる複数の並列電路（第一並列電路Ｌ１、第二並列電路Ｌ２及び第三並列電路Ｌ３）にそれぞれ接続されており、
前記第一並列電路Ｌ１、第二並列電路Ｌ２及び第三並列電路Ｌ３において、前記系統電源Ｋと前記負荷Ｈとの間を流通する電力を検出可能な検出部（センサ１４・２４・３４）と、
自然エネルギーを利用して発電可能であると共に当該発電された電力を前記負荷Ｈへと供給可能な発電部（太陽光発電部１１・２１・３１）と、
前記発電部（太陽光発電部１１・２１・３１）で発電された電力を充電可能であると共に、前記検出部（センサ１４・２４・３４）の検出値に基づいて当該充電された電力を放電する負荷追従運転を行うことで前記負荷Ｈへと電力を供給可能な蓄電池１２・２２・３２と、
を具備し、
前記電力供給システム１は、
前記並列電路（第一並列電路Ｌ１、第二並列電路Ｌ２及び第三並列電路Ｌ３）のそれぞれに、当該並列電路（第一並列電路Ｌ１、第二並列電路Ｌ２及び第三並列電路Ｌ３）と前記供給部（第一蓄電システム１０、第二蓄電システム２０及び第三蓄電システム３０）との接続点（第一接続点Ｐ１、第二接続点Ｐ２及び第三接続点Ｐ３）よりも上流側に設けられ、前記系統電源Ｋと前記負荷Ｈとの電力の流通を可能又は不能に切り替える第一のスイッチ（系統電源側スイッチ（第一系統電源側スイッチ４１、第二系統電源側スイッチ４２及び第三系統電源側スイッチ４３））と、
前記蓄電池１２・２２・３２の蓄電池残量に応じて、前記第一系統電源側スイッチ４１、第二系統電源側スイッチ４２及び第三系統電源側スイッチ４３の切り替えを制御可能な制御部と、
を具備するものである。
【０１０８】
このように構成することにより、第一蓄電システム１０、第二蓄電システム２０及び第三蓄電システム３０が並列に接続された電力供給システム１において、好適な制御を実行することができる。すなわち、蓄電池１２・２２・３２の蓄電池残量に応じて、系統電源Ｋと前記負荷Ｈとの電力の流通を可能又は不能に切り替える制御を実行することができる。これにより、必要に応じて系統電源Ｋからの電力の供給を遮断することができ、系統電源Ｋからの買電を低減することができる。例えば、第一蓄電システム１０、第二蓄電システム２０及び第三蓄電システム３０のうちのいずれかの負荷Ｈへの電力の供給が停止した場合に、電力の供給が停止した蓄電システムと系統電源Ｋとの電力の流通を遮断することで、系統電源Ｋからの買電を低減することができる。
【０１０９】
また、前記制御部６０は、
前記第一蓄電システム１０、第二蓄電システム２０及び第三蓄電システム３０の前記蓄電池１２・２２・３２のうち蓄電池残量が設定値（停電用蓄電池残量）以下となった蓄電池１２・２２・３２があれば、当該蓄電池１２・２２・３２を有する前記蓄電システム（第一蓄電システム１０、第二蓄電システム２０及び第三蓄電システム３０）が接続された並列電路（第一並列電路Ｌ１、第二並列電路Ｌ２及び第三並列電路Ｌ３）において、前記系統電源Ｋと前記負荷Ｈとの電力の流通が不能となるように、前記系統電源側スイッチ（第一系統電源側スイッチ４１、第二系統電源側スイッチ４２及び第三系統電源側スイッチ４３）を切り替えるものである。
【０１１０】
このように構成することにより、第一蓄電システム１０、第二蓄電システム２０及び第三蓄電システム３０が並列に接続された電力供給システム１において、好適な制御を実行することができる。すなわち、蓄電池１２・２２・３２のうちのいずれかの蓄電池１２・２２・３２の蓄電池残量が停電用蓄電池残量以下となった場合であっても、当該蓄電池１２・２２・３２を有する蓄電システム（第一蓄電システム１０、第二蓄電システム２０及び第三蓄電システム３０）が接続された並列電路（第一並列電路Ｌ１、第二並列電路Ｌ２及び第三並列電路Ｌ３）において系統電源Ｋと負荷Ｈとの接続を遮断し、他の蓄電システムによって負荷へ電力を供給することができ、系統電源Ｋからの買電を低減することができる。
【０１１１】
また、前記制御部６０は、
全ての前記蓄電池１２・２２・３２の蓄電池残量が停電用蓄電池残量以下となれば、全ての並列電路（第一並列電路Ｌ１、第二並列電路Ｌ２及び第三並列電路Ｌ３）において、前記系統電源Ｋと前記負荷Ｈとの電力の流通が可能となるように、前記系統電源側スイッチ（第一系統電源側スイッチ４１、第二系統電源側スイッチ４２及び第三系統電源側スイッチ４３）を制御するものである。
【０１１２】
このように構成することにより、第一蓄電システム１０、第二蓄電システム２０及び第三蓄電システム３０が並列に接続された電力供給システム１において、好適な制御を実行することができる。すなわち、全ての蓄電池１２・２２・３２の蓄電池残量が停電用蓄電池残量以下となれば、全ての蓄電システム（第一蓄電システム１０、第二蓄電システム２０及び第三蓄電システム３０）において、センサ１４・２４・３４の検出値に基づいた負荷追従運転を行なうことができる。
【０１１３】
また、前記第一蓄電システム１０、第二蓄電システム２０及び第三蓄電システム３０は、
前記太陽光発電部１１・２１・３１によって発電された電力のうち、当該第一蓄電システム１０、第二蓄電システム２０及び第三蓄電システム３０が前記負荷Ｈへ供給する電力を除いた電力が、前記蓄電池１２・２２・３２に充電され、
前記電力供給システム１は、
前記第一並列電路Ｌ１、第二並列電路Ｌ２及び第三並列電路Ｌ３のそれぞれに、当該第一並列電路Ｌ１、第二並列電路Ｌ２及び第三並列電路Ｌ３と前記第一蓄電システム１０、第二蓄電システム２０及び第三蓄電システム３０との接続点（第一接続点Ｐ１、第二接続点Ｐ２及び第三接続点Ｐ３）よりも下流側に設けられ、前記第一蓄電システム１０、第二蓄電システム２０及び第三蓄電システム３０と前記負荷Ｈとの電力の流通を可能又は不能に切り替える第二のスイッチ（負荷側スイッチ（第一負荷側スイッチ５１、第二負荷側スイッチ５２及び第三負荷側スイッチ５３））を更に具備し、
前記制御部６０は、
前記太陽光発電部１１・２１・３１が発電する電力量に応じて、前記第一負荷側スイッチ５１、第二負荷側スイッチ５２及び第三負荷側スイッチ５３の切り替えを制御可能とされているものである。
【０１１４】
このように構成することにより、第一蓄電システム１０、第二蓄電システム２０及び第三蓄電システム３０が並列に接続された電力供給システム１において、好適な制御を実行することができる。すなわち、第一負荷側スイッチ５１、第二負荷側スイッチ５２及び第三負荷側スイッチ５３を切り替えることで、必要に応じて太陽光発電部１１・２１・３１で発電された電力を負荷Ｈへ供給することなく、蓄電池１２・２２・３２に優先的に充電することができる。
【０１１５】
また、前記制御部６０は、
前記センサ１４・２４・３４が、前記系統電源Ｋへと逆潮流される電力を検出した場合に、前記第一蓄電システム１０、第二蓄電システム２０及び第三蓄電システム３０のうち、前記太陽光発電部１１・２１・３１で発電された電力を前記蓄電池１２・２２・３２の最大充電量で当該蓄電池１２・２２・３２に充電させる優先充電動作を実行する前記蓄電システムを決定し、
前記優先充電動作が実行される前記蓄電システム（第一蓄電システム１０、第二蓄電システム２０及び第三蓄電システム３０）と前記負荷Ｈとの電力の流通が不能となるように、前記負荷側スイッチ（第一負荷側スイッチ５１、第二負荷側スイッチ５２及び第三負荷側スイッチ５３）を切り替えるものである。
【０１１６】
このように構成することにより、第一蓄電システム１０、第二蓄電システム２０及び第三蓄電システム３０が並列に接続された電力供給システム１において、好適な制御を実行することができる。すなわち、蓄電システム（第一蓄電システム１０、第二蓄電システム２０及び第三蓄電システム３０）からの電力が系統電源Ｋへと逆潮流される状態（売電状態）で、優先充電動作が実行される蓄電システム（第一蓄電システム１０、第二蓄電システム２０及び第三蓄電システム３０）において、負荷Ｈへの電力の供給を遮断し、蓄電池１２・２２・３２に対して最大充電量で充電を行なうことができる。
【０１１７】
また、前記制御部６０は、
前記複数の蓄電システム（第一蓄電システム１０、第二蓄電システム２０及び第三蓄電システム３０）のうち、前記優先充電動作が実行可能な蓄電システム（第一蓄電システム１０、第二蓄電システム２０及び第三蓄電システム３０）の台数を決定し、
前記優先充電動作が実行可能な蓄電システム（第一蓄電システム１０、第二蓄電システム２０及び第三蓄電システム３０）の台数の範囲内で、前記複数の蓄電システム（第一蓄電システム１０、第二蓄電システム２０及び第三蓄電システム３０）のうち前記蓄電池１２・２２・３２の蓄電池残量が少ないものから順番に、前記優先充電動作を実行する蓄電システム（第一蓄電システム１０、第二蓄電システム２０及び第三蓄電システム３０）を決定するものである。
【０１１８】
このように構成することにより、第一蓄電システム１０、第二蓄電システム２０及び第三蓄電システム３０が並列に接続された電力供給システム１において、好適な制御を実行することができる。すなわち、蓄電池残量が少ない蓄電池１２・２２・３２を有する蓄電システム（第一蓄電システム１０、第二蓄電システム２０及び第三蓄電システム３０）を、他の蓄電システム（第一蓄電システム１０、第二蓄電システム２０及び第三蓄電システム３０）よりも優先して優先充電動作を実行させることができ、蓄電池１２・２２・３２の蓄電池残量のばらつきを抑制することができる。
【０１１９】
また、前記制御部６０は、
前記第一蓄電システム１０、第二蓄電システム２０及び第三蓄電システム３０が有する前記太陽光発電部１１・２１・３１が発電した電力量の総和から前記負荷Ｈの消費電力量を減算した電力量を、前記蓄電池１２・２２・３２の最大充電量で除算した結果に基づいて、前記優先充電動作が実行可能な蓄電システム（第一蓄電システム１０、第二蓄電システム２０及び第三蓄電システム３０）の台数を決定するものである。
【０１２０】
このように構成することにより、第一蓄電システム１０、第二蓄電システム２０及び第三蓄電システム３０が並列に接続された電力供給システム１において、好適な制御を実行することができる。すなわち、太陽光発電部１１・２１・３１が発電した電力量や、蓄電池１２・２２・３２の最大充電量を考慮して優先充電動作が実行可能な蓄電システム（第一蓄電システム１０、第二蓄電システム２０及び第三蓄電システム３０）の数を決定することができる。
【０１２１】
また、前記制御部６０は、
前記センサ１４・２４・３４が、前記系統電源Ｋから流通する電力を検出した場合に、
前記負荷側スイッチ（第一負荷側スイッチ５１、第二負荷側スイッチ５２及び第三負荷側スイッチ５３）が、前記蓄電システム（第一蓄電システム１０、第二蓄電システム２０及び第三蓄電システム３０）と前記負荷Ｈとの電力の流通が不能となるように切り替えられていれば、当該負荷側スイッチ（第一負荷側スイッチ５１、第二負荷側スイッチ５２及び第三負荷側スイッチ５３）を前記蓄電システム（第一蓄電システム１０、第二蓄電システム２０及び第三蓄電システム３０）と前記負荷Ｈとの電力の流通が可能となるように切り替えるものである。
【０１２２】
このように構成することにより、第一蓄電システム１０、第二蓄電システム２０及び第三蓄電システム３０が並列に接続された電力供給システム１において、好適な制御を実行することができる。すなわち、系統電源Ｋからの電力が負荷Ｈに供給される状態（買電状態）では、全ての蓄電システム（第一蓄電システム１０、第二蓄電システム２０及び第三蓄電システム３０）からの電力を負荷Ｈへ供給させる構成としている。これにより、系統電源Ｋからの買電よりも優先して、蓄電池残量が停電用蓄電池残量以上であって、電力を放電していない蓄電池を放電させることができる。
【０１２３】
なお、本実施形態に係る第一蓄電システム１０、第二蓄電システム２０及び第三蓄電システム３０は、本発明の供給部の実施の一形態である。
また、本実施形態に係る太陽光発電部１１・２１・３１は、本発明の発電部の実施の一形態である。
また、本実施形態に係るセンサ１４・２４・３４は、本発明の検出部の実施の一形態である。
また、本実施形態に係る第一系統電源側スイッチ４１、第二系統電源側スイッチ４２及び第三系統電源側スイッチ４３は、本発明の第一のスイッチの実施の一形態である。
また、本実施形態に係る第一負荷側スイッチ５１、第二負荷側スイッチ５２及び第三負荷側スイッチ５３は、本発明の第二のスイッチの実施の一形態である。
また、本実施形態に係る電力経路は、本発明の電路の実施の一形態である。
また、本実施形態に係る第一並列電路Ｌ１、第二並列電路Ｌ２及び第三並列電路Ｌ３は、本発明の並列電路の実施の一形態である。
また、本実施形態に係る停電用蓄電池残量は、本発明の設定値の実施の一形態である。
【０１２４】
以上、本発明の実施形態を説明したが、本発明は上記構成に限定されるものではなく、特許請求の範囲に記載された発明の範囲内で種々の変更が可能である。
【０１２５】
例えば、電力供給システム１は、集合住宅に設けられるものとしたが、これに限定されるものではなく、例えば、オフィス等に設けられるものであってもよい。
【０１２６】
また、本実施形態において蓄電システムの台数は、３台であるものとしたが、これに限定されるものではなく、２台以上の任意の台数とすることができる。
【０１２７】
また、第一蓄電システム１０、第二蓄電システム２０及び第三蓄電システム３０は、所定の燃料を用いて発電する発電装置（例えば、燃料電池）等を具備する構成であってもよい。
【０１２８】
また、発電部は、太陽光を利用して発電する太陽光発電部１１・２１・３１であるものとしたが、自然エネルギー（例えば、水力や風力）を利用して発電するものであれば、これに限定されるものではない。
【０１２９】
また、本実施形態では、蓄電池１２・２２・３２の設定値を、停電用蓄電池残量としたが、これに限定されるものではなく、種々の設定値を採用可能である。
【符号の説明】
【０１３０】
１                電力供給システム
１０              第一蓄電システム（供給部）
１１              太陽光発電部（発電部）
１２              蓄電池
１３              ハイブリッドパワコン
１４              センサ（検出部）
２０              第二蓄電システム（供給部）
２１              太陽光発電部（発電部）
２２              蓄電池
２３              ハイブリッドパワコン
２４              センサ（検出部）
３０              第三蓄電システム（供給部）
３１              太陽光発電部（発電部）
３２              蓄電池
３３              ハイブリッドパワコン
３４              センサ（検出部）
４１              第一系統電源側スイッチ（第一のスイッチ）
４２              第二系統電源側スイッチ（第一のスイッチ）
４３              第三系統電源側スイッチ（第一のスイッチ）
５１              第一負荷側スイッチ（第二のスイッチ）
５２              第二負荷側スイッチ（第二のスイッチ）
５３              第三負荷側スイッチ（第二のスイッチ）
６０              制御部
Ｈ                負荷
Ｋ                系統電源
Ｌ                電力経路（電路）
Ｌ１              第一並列電路（並列電路）
Ｌ２              第二並列電路（並列電路）
Ｌ３              第三並列電路（並列電路）
【図１】
2019106774.tif 000003
【図２】
2019106774.tif 000004
【図３】
2019106774.tif 000005
【図４】
2019106774.tif 000006
【図５】
2019106774.tif 000007
【図６】
2019106774.tif 000008
【図７】
2019106774.tif 000009
【図８】
2019106774.tif 000010
【図９】
2019106774.tif 000011
【図１０】
2019106774.tif 000012
【図１１】
2019106774.tif 000013
【図１２】
2019106774.tif 000014
【図１３】
2019106774.tif 000015
【図１４】
2019106774.tif 000016